(57)【特許請求の範囲】
【請求項１】
ユーザ機器（ＵＥ）に関連付けられたユーザ特有の基準信号（ＵＥ−ＲＳ）に関する、符号化された情報を提供することを容易にする方法であって、
前記符号化された情報に、前記ユーザ特有の基準信号に関する少なくとも１つのパラメータとともに、少なくとも、送信ランクを示すインジケーションを符号化するビット・シーケンスを含めることと、ここで、前記ＵＥ−ＲＳに関する少なくとも１つのパラメータは、ＵＥ−ＲＳシーケンス初期化ＩＤを備える、
前記符号化された情報を、ダウンリンク制御チャネルのペイロード内で送信することと、
を備える方法。
【請求項２】
前記少なくとも１つのパラメータは、前記ユーザ特有の基準信号の前記ＵＥへの送信のために使用されるアンテナ・ポートを示すインジケーションを備える、請求項１に記載の方法。
【請求項３】
前記少なくとも１つのパラメータはさらに、前記ユーザ特有の基準信号を特徴付ける時間−周波数リソース・パターンを備える、請求項２に記載の方法。
【請求項４】
前記ビット・シーケンスは、前記送信ランクを示す２ビットと、前記アンテナ・ポートのうちの最初の１つを示す２ビットと、を含む請求項２に記載の方法。
【請求項５】
前記ビット・シーケンスはさらに、前記ユーザ特有の基準信号を特徴付ける時間−周波数リソース・パターンを示す１ビットを含む、請求項４に記載の方法。
【請求項６】
前記ビット・シーケンスは、前記アンテナ・ポートを示すインジケーションと前記送信ランクとをともに示す複数のビットを含む、請求項２に記載の方法。
【請求項７】
前記ユーザ特有の基準信号の送信のために、最大で４つのアンテナ・ポートが使用される、請求項６に記載の方法。
【請求項８】
前記複数のビットは、
前記送信ランクが１であり、前記４つのアンテナ・ポートのうちの特定の１つが、前記ユーザ特有の基準信号を送信するために使用されること、
前記送信ランクが２であり、前記４つのアンテナ・ポートのうちの特定の２つが、前記ユーザ特有の基準信号を送信するために使用されること、
前記送信ランクが３であり、前記４つのアンテナ・ポートのうちの特定の３つが、前記ユーザ特有の基準信号を送信するために使用されること、
前記送信ランクが４であり、前記４つのアンテナ・ポートのおのおのが、前記ユーザ特有の基準信号を送信するために使用されること、
のうちの１つを示す３ビットを含む、請求項７に記載の方法。
【請求項９】
前記符号化された情報に、ＵＥ−ＲＳパターンを示すインジケーションを提供することをさらに備える、請求項１に記載の方法。
【請求項１０】
前記少なくとも１つのパラメータはさらに、前記ＵＥに割り当てられたＵＥ−ＲＳポートの合計数を備える、請求項３に記載の方法。
【請求項１１】
無線通信のための方法であって、
ユーザ機器（ＵＥ）に関連付けられたユーザ特有の基準信号（ＵＥ−ＲＳ）に関する符号化された情報を、ダウンリンク制御チャネルで受信することと、ここで、前記符号化された情報は、前記ユーザ特有の基準信号に関する少なくとも１つのパラメータとともに、少なくとも、送信ランクを示すインジケーションを符号化するビット・シーケンスを含み、前記ＵＥ−ＲＳに関する少なくとも１つのパラメータは、ＵＥ−ＲＳシーケンス初期化ＩＤを備える、
前記符号化された情報を復号することと、
を備える方法。
【請求項１２】
前記少なくとも１つのパラメータは、前記ユーザ特有の基準信号の前記ＵＥへの送信のために使用されるアンテナ・ポートを示すインジケーションを備える、請求項１１に記載の方法。
【請求項１３】
前記少なくとも１つのパラメータはさらに、前記ユーザ特有の基準信号を特徴付ける時間−周波数リソース・パターンを備える、請求項１２に記載の方法。
【請求項１４】
前記ビット・シーケンスは、前記ユーザ特有の基準信号を特徴付ける時間−周波数リソース・パターンを示す１ビットを含む、請求項１１に記載の方法。
【請求項１５】
前記ビット・シーケンスは、前記アンテナ・ポートを示すインジケーションと前記送信ランクとをともに示す複数のビットを含む、請求項１２に記載の方法。
【請求項１６】
前記符号化された情報のうち、ＵＥ−ＲＳパターンを示すインジケーションを決定することをさらに備える、請求項１１に記載の方法。
【請求項１７】
前記少なくとも１つのパラメータはさらに、前記ＵＥに割り当てられたＵＥ−ＲＳポートの合計数を備える、請求項１１に記載の方法。
【請求項１８】
無線通信のための装置であって、
ユーザ特有の基準信号（ＵＥ−ＲＳ）パラメータを選択する手段と、
前記選択されたＵＥ−ＲＳパラメータを、少なくとも１つの関連付けられたＵＥ−ＲＳパラメータとともに符号化する手段と、ここで、前記選択されたＵＥ−ＲＳパラメータは、ＵＥ−ＲＳシーケンス初期化ＩＤを備える、
前記ともに符号化されたＵＥ−ＲＳパラメータを、前記ＵＥ−ＲＳに関連付けられたユーザ機器（ＵＥ）に、ダウンリンク制御チャネルで送信する手段と、
を備える装置。
【請求項１９】
前記選択されたＵＥ−ＲＳパラメータは、送信ランクを備える、請求項１８に記載の装置。
【請求項２０】
前記選択されたＵＥ−ＲＳパラメータは、ＵＥ−ＲＳパターンを備える、請求項１８に記載の装置。
【請求項２１】
前記少なくとも１つの関連付けられたＵＥ−ＲＳパラメータは、前記ＵＥ−ＲＳの前記ＵＥへの送信のために使用されるアンテナ・ポートのセットを示すインジケーションを備える、請求項１９に記載の装置。
【請求項２２】
前記ともに符号化する手段は、前記送信ランクを、前記アンテナ・ポートのセットに関連付ける手段を備える、請求項２１に記載の装置。
【請求項２３】
前記関連付ける手段は、前記アンテナ・ポートのセット内に、連続したインデクスで前記アンテナ・ポートを列挙する手段を備える、請求項２２に記載の装置。
【請求項２４】
前記ともに符号化する手段は、前記アンテナ・ポートのセットと、前記送信ランクとの間の関連付けを符号化するビット・シーケンスを提供する手段を備える、請求項２３に記載の装置。
【請求項２５】
前記ビット・シーケンスは、前記アンテナ・ポートのセットと、前記送信ランクとをともに示す複数のビットを備える、請求項２４に記載の装置。
【請求項２６】
前記ビット・シーケンスはさらに、ＵＥ−ＲＳパターンを示すビットを備える、請求項２５に記載の装置。
【請求項２７】
前記送信ランクは、前記アンテナ・ポートのセットの濃度（cardinality）に対応する、請求項２１に記載の装置。
【請求項２８】
前記少なくとも１つのパラメータはさらに、前記ＵＥに割り当てられたＵＥ−ＲＳポートの合計数を備える、請求項２１に記載の装置。
【請求項２９】
無線通信システムで使用されるコンピュータ読取可能な記録媒体であって、
少なくとも１つのコンピュータに対して、送信のランクを選択させるための命令群と、
前記少なくとも１つのコンピュータに対して、前記選択された送信のランクを、ユーザ特有の基準信号（ＵＥ−ＲＳ）に関する少なくとも１つのパラメータに関連付けさせるための命令群と、ここで、前記ＵＥ−ＲＳに関する少なくとも１つのパラメータは、ＵＥ−ＲＳシーケンス初期化ＩＤを備える、
前記少なくとも１つのコンピュータに対して、ダウンリンク制御チャネルにおけるオーバヘッドを低減するために、前記少なくとも１つのパラメータと前記ランクとをともに示すインジケーションを提供させるための命令群と、
を記録したコンピュータ読取可能な記録媒体。
【請求項３０】
前記少なくとも１つのコンピュータに対して、ＵＥ−ＲＳパターンを選択させるための命令群をさらに記録した、請求項２９に記載のコンピュータ読取可能な記録媒体。
【請求項３１】
前記少なくとも１つのパラメータは、連続したインデクスで列挙されたアンテナ・ポートのセットを備える、請求項２９に記載のコンピュータ読取可能な記録媒体。
【請求項３２】
前記少なくとも１つのコンピュータに対して、前記インジケーションを提供させるための命令群が、前記アンテナ・ポートのセットと、前記送信のランクとの間の関連付けを符号化するビット・シーケンスを提供する、請求項３０に記載のコンピュータ読取可能な記録媒体。
【請求項３３】
前記ビット・シーケンスは、前記アンテナ・ポートのセットと、前記送信ランクとをともに示す複数のビットを備える、請求項３２に記載のコンピュータ読取可能な記録媒体。
【請求項３４】
前記ビット・シーケンスはさらに、前記ＵＥ−ＲＳを特徴付けるＵＥ−ＲＳパターンを示すビットを備える、請求項３３に記載のコンピュータ読取可能な記録媒体。
【請求項３５】
前記ビット・シーケンスはさらに、前記ＵＥ−ＲＳパターンを示すビットを備える、請求項３３に記載のコンピュータ読取可能な記録媒体。
【請求項３６】
前記ビット・シーケンスはさらに、前記ＵＥ−ＲＳシーケンス初期化ＩＤを示す少なくとも１ビットを備える、請求項３３に記載のコンピュータ読取可能な記録媒体。
【請求項３７】
前記少なくとも１つのパラメータはさらに、前記ＵＥに割り当てられたＵＥ−ＲＳポートの合計数を備える、請求項３１に記載のコンピュータ読取可能な記録媒体。
【請求項３８】
ユーザ機器（ＵＥ）に関連付けられたユーザ特有の基準信号（ＵＥ−ＲＳ）に関する、符号化された情報を提供することを容易にする装置であって、
前記符号化された情報内に、前記ユーザ特有の基準信号に関する少なくとも１つのパラメータとともに、少なくとも、送信ランクを示すインジケーションを符号化するビット・シーケンスを含め、ここで、前記ＵＥ−ＲＳに関する少なくとも１つのパラメータは、ＵＥ−ＲＳシーケンス初期化ＩＤを備える、
前記符号化された情報を、ダウンリンク制御チャネルのペイロード内で送信させる、
ように構成されたプロセッサを備える装置。
【請求項３９】
前記プロセッサはさらに、前記符号化された情報内に、ＵＥ−ＲＳパターンを示すビットを含めるように構成された、請求項３８に記載の装置。
【請求項４０】
無線通信のための装置であって、
ユーザ機器（ＵＥ）に関連付けられたユーザ特有の基準信号（ＵＥ−ＲＳ）に関する符号化された情報を、ダウンリンク制御チャネルで受信し、
ここで、前記符号化された情報は、前記ユーザ特有の基準信号に関する少なくとも１つのパラメータとともに、少なくとも、送信ランクを示すインジケーションを符号化するビット・シーケンスを含む、ここで、前記ＵＥ−ＲＳに関する少なくとも１つのパラメータは、ＵＥ−ＲＳシーケンス初期化ＩＤを備える、
前記符号化された情報を復号する、
ように構成されたプロセッサを備える、装置。
【請求項４１】
前記少なくとも１つのパラメータは、前記ユーザ特有の基準信号の前記ＵＥへの送信のために使用されるアンテナ・ポートを示すインジケーションと、前記ＵＥに割り当てられたＵＥ−ＲＳポートの合計数と、のうちの１つを備える、請求項４０に記載の装置。
【請求項４２】
無線通信のための装置であって、
ユーザ機器（ＵＥ）に関連付けられたユーザ特有の基準信号（ＵＥ−ＲＳ）に関する符号化された情報を、ダウンリンク制御チャネルで受信する手段と、ここで、前記符号化された情報は、前記ユーザ特有の基準信号に関する少なくとも１つのパラメータとともに、少なくとも、送信ランクを示すインジケーションを符号化するビット・シーケンスを含む、ここで、前記ＵＥ−ＲＳに関する少なくとも１つのパラメータは、ＵＥ−ＲＳシーケンス初期化ＩＤを備える、
前記符号化された情報を復号する手段と、
を備える装置。
【請求項４３】
前記符号化された情報のうち、ＵＥ−ＲＳパターンを示すインジケーションを決定する手段をさらに備える、請求項４２に記載の装置。
【請求項４４】
前記少なくとも１つのパラメータは、前記ユーザ特有の基準信号の前記ＵＥへの送信のために使用されるアンテナ・ポートを示すインジケーションと、前記ＵＥに割り当てられたＵＥ−ＲＳポートの合計数と、のうちの１つを備える、請求項４２に記載の装置。
【請求項４５】
ユーザ機器（ＵＥ）に関連付けられたユーザ特有の基準信号（ＵＥ−ＲＳ）に関する、符号化された情報を提供することを容易にするコンピュータ読取可能な記録媒体であって、
少なくとも１つのコンピュータに対して、前記符号化された情報内に、前記ＵＥ−ＲＳに関する少なくとも１つのパラメータとともに、少なくとも、送信ランクを示すインジケーションを符号化するビット・シーケンスを含めさせるための命令群と、ここで、前記ＵＥ−ＲＳに関する少なくとも１つのパラメータは、ＵＥ−ＲＳシーケンス初期化ＩＤを備える、
前記少なくとも１つのコンピュータに対して、前記符号化された情報を、ダウンリンク制御チャネルのペイロード内で送信させるための命令群と、
を記録したコンピュータ読取可能な記録媒体。
【請求項４６】
前記少なくとも１つのコンピュータに対して、ＵＥ−ＲＳパターンを選択させるための命令群をさらに記録した、請求項４５に記載のコンピュータ読取可能な記録媒体。
【請求項４７】
前記少なくとも１つのパラメータは、連続するインデクスで列挙されたアンテナ・ポートのセットを備える、請求項４５に記載のコンピュータ読取可能な記録媒体。
【請求項４８】
前記少なくとも１つのコンピュータに対して、前記送信ランクを前記アンテナ・ポートのセットに関連付けさせるための命令群をさらに記録した、請求項４７に記載のコンピュータ読取可能な記録媒体。
【請求項４９】
ユーザ機器（ＵＥ）に関連付けられたユーザ特有の基準信号に関する、符号化された情報を提供することを容易にする方法であって、
送信のランクを選択することと、
前記送信のランクを、前記ユーザ特有の基準信号（ＵＥ−ＲＳ）に関する少なくとも１つのパラメータに関連付けることと、ここで、前記ＵＥ−ＲＳに関する少なくとも１つのパラメータは、ＵＥ−ＲＳシーケンス初期化ＩＤを備える、
前記少なくとも１つのパラメータと前記ランクとをともに示すインジケーションを、スケジューリング制約にしたがって提供することと、ここで、前記スケジューリング制約は、ダウンリンク制御チャネルにおけるオーバヘッドを低減するために選択される、
前記ダウンリンク制御チャネルで、前記インジケーションを送信することと、
を備える方法。
【請求項５０】
前記少なくとも１つのパラメータは、前記ユーザ特有の基準信号の前記ＵＥへの送信のために使用されるアンテナ・ポートのセットを備える、請求項４９に記載の方法。
【請求項５１】
前記提供することは、前記スケジューリング制約に含まれる、アンテナ・ポートの限定されたセットを選択することを備える、請求項５０に記載の方法。
【請求項５２】
前記少なくとも１つのパラメータはさらに、ＵＥ−ＲＳパターンを備える、請求項５１に記載の方法。
【請求項５３】
前記選択することは、前記送信のランクおよび前記ＵＥ−ＲＳパターンに基づく、請求項５２に記載の方法。
【請求項５４】
前記選択することはさらに、前記ＵＥにサポートされたアンテナ・ポートの最大数に基づく、請求項５３に記載の方法。
【請求項５５】
前記選択することはさらに、多重化されることが可能なＵＥの最大数に基づく、請求項５３に記載の方法。
【請求項５６】
前記提供することは、前記スケジューリング制約に含まれる送信モードを選択することを備える、請求項４９に記載の方法。
【請求項５７】
前記送信モードは、ＳＵ−ＭＩＭＯ、ＭＵ−ＭＩＭＯ、および協調ＭＩＭＯのうちの１つを備える、請求項５６に記載の方法。
【請求項５８】
前記スケジューリング制約に基づいて、１または複数の他のＵＥに関するスケジューリング決定を実行することをさらに備える、請求項４９に記載の方法。
【請求項５９】
前記提供することは、前記スケジューリング決定に基づいて、前記ＵＥ−ＲＳパターンおよび前記少なくとも１つのパラメータを選択することを備える、請求項５８に記載の方法。
【請求項６０】
前記提供することは、チャネルおよび干渉の推定および復調を導くために、前記スケジューリング制約を選択することを備える、請求項４９に記載の方法。
【請求項６１】
前記提供することは、ＭＵ−ＭＩＭＯモードまたは協調ＭＩＭＯモードのうちの少なくとも１つで前記ＵＥに割り当てられるレイヤ数を制限することを備える、請求項５７に記載の方法。
【請求項６２】
前記制限することは、送信のランク毎に１つのアンテナ・ポートを割り当てることを備える、請求項６１に記載の方法。
【請求項６３】
ユーザ機器（ＵＥ）に関連付けられたユーザ特有の基準信号に関する、符号化された情報を提供することを容易にする装置であって、
送信のランクを選択する手段と、
前記送信のランクを、ユーザ特有の基準信号（ＵＥ−ＲＳ）に関する少なくとも１つのパラメータに関連付ける手段と、ここで、前記ＵＥ−ＲＳに関する少なくとも１つのパラメータは、ＵＥ−ＲＳシーケンス初期化ＩＤを備える、
前記少なくとも１つのパラメータと前記ランクとをともに示すインジケーションを、スケジューリング制約にしたがって提供する手段と、ここで、前記スケジューリング制約は、ダウンリンク制御チャネルにおけるオーバヘッドを低減するために選択される、
前記ダウンリンク制御チャネルで、前記インジケーションを送信する手段と、
を備える装置。
【請求項６４】
前記スケジューリング制約に基づいて、１または複数の他のＵＥに関するスケジューリング決定を実行する手段をさらに備える、請求項６３に記載の装置。
【請求項６５】
ユーザ機器（ＵＥ）において無線通信を容易にする方法であって、
ユーザ特有の基準信号（ＵＥ−ＲＳ）に関する少なくとも１つのパラメータと、少なくとも１つのスケジューリング・パラメータとをともに示すインジケーションを受信することと、ここで、前記ＵＥ−ＲＳに関する少なくとも１つのスケジューリング・パラメータは、ＵＥ−ＲＳシーケンス初期化ＩＤを備え、前記少なくとも１つのスケジューリング・パラメータは、サブフレームでスケジュールされたＵＥ−ＲＳポートの合計数を備える、
前記少なくとも１つのスケジューリング・パラメータに少なくとも部分的に基づいて、チャネルまたは干渉の推定を実行することと、
を備える方法。
【請求項６６】
前記少なくとも１つのスケジューリング・パラメータに少なくとも部分的に基づいて、復調動作を実行することをさらに備える、請求項６５に記載の方法。
【請求項６７】
ユーザ機器（ＵＥ）において無線通信を容易にする装置であって、
ユーザ特有の基準信号（ＵＥ−ＲＳ）に関する少なくとも１つのパラメータと、少なくとも１つのスケジューリング・パラメータとをともに示すインジケーションを受信する手段と、ここで、前記ＵＥ−ＲＳに関する少なくとも１つのパラメータは、ＵＥ−ＲＳシーケンス初期化ＩＤを備え、前記少なくとも１つのスケジューリング・パラメータは、サブフレームでスケジュールされたＵＥ−ＲＳポートの合計数を備える、  前記少なくとも１つのスケジューリング・パラメータに少なくとも部分的に基づいて、チャネルまたは干渉の推定を実行する手段と、
を備える装置。
【請求項６８】
前記少なくとも１つのスケジューリング・パラメータに少なくとも部分的に基づいて、復調動作を実行する手段をさらに備える、請求項６７に記載の装置。
【発明の詳細な説明】
【関連出願に対する相互参照】
【０００１】
本願は、全体が参照によって本明細書に明確に組み込まれている２００９年１１月２日出願の米国仮出願６１／２５７，３７６号の優先権を主張する。
【技術分野】
【０００２】
本願は、一般に、多元接続無線通信に関する。さらに詳しくは、限定されないが、本願は、多元接続無線通信システムにおけるユーザ特有の基準信号情報の符号化のための技術に関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（“ＣＤＭＡ”）システム、時分割多元接続（“ＴＤＭＡ”）システム、周波数分割多元接続（“ＦＤＭＡ”）システム、３ＧＰＰロング・ターム・イボリューション（“ＬＴＥ”）システム、および直交周波数分割多元接続（“ＯＦＤＭＡ”）システム等を含む。
【０００４】
一般に、無線多元接続通信システムは、複数の無線端末のための通信を同時にサポートしうる。端末はおのおのの、順方向リンクおよび逆方向リンクによる送信を介して１または複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（“ＭＩＭＯ”）システム等によって確立されうる。
【０００５】
ＭＩＭＯシステムは、データ送信に関し、複数（“ＮＴ”個）の送信アンテナと、複数（“ＮＲ”個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【０００６】
ＭＩＭＯシステムは、時分割デュプレクス（“ＴＤＤ”）システムと周波数分割デュプレクス（“ＦＤＤ”）システムとの両方をサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【０００７】
一般に、無線セルラ通信ネットワークは、多くのモバイル・ユーザ機器（“ＵＥ”）および多くのベース・ノード（“ノードＢ”）を組み込む。ノードＢは一般に固定局であり、基地トランシーバ・システム（“ＢＴＳ”）、アクセス・ポイント（“ＡＰ”）、基地局（“ＢＳ”）、あるいは他のいくつかの同等な専門用語でも称されうる。ネットワークに対する改良がなされ、ノードＢ機能も発展し、ノードＢはしばしば、イボルブド・ノードＢ（“ｅＮＢ”）とも称される。一般に、ノードＢハードウェアは、適用される場合、固定され据え置かれる。一方、ＵＥハードウェアは、ポータブルである。
【０００８】
ノードＢとは対照的に、モバイルＵＥは、ポータブル・ハードウェアを備えうる。端末または移動局とも一般に称されるＵＥは、固定式またはモバイル式のデバイスであり、無線デバイス、セルラ電話、携帯情報端末（“ＰＤＡ”）、無線モデム・カード等とも称される。アップリンク通信（“ＵＬ”）は、モバイルＵＥからノードＢへの通信を称する一方、ダウンリンク（“ＤＬ”）は、ノードＢからモバイルＵＥへの通信を称する。
【０００９】
おのおののノードＢは、自由に動き回るモバイルＵＥとダイレクトに通信するために使用されるラジオ周波数送信機（単数または複数）および受信機（単数または複数）を含んでいる。同様に、おのおののモバイルＵＥは、ノードＢとダイレクトに通信するために使用されるラジオ周波数送信機（単数または複数）および受信機（単数または複数）を含んでいる。セルラ・ネットワークでは、モバイルＵＥは、互いにダイレクトに通信することはできず、ノードＢと通信せねばならない。
【００１０】
基準信号（“ＲＳ”）は予め定義された信号であり、送信機と受信機との両方に予め知られている。ＲＳは一般に、送信機と受信機との両方の観点から決定論的なものとして考えられる。ＲＳは一般に、受信機が信号伝播媒体を評価するために送信される。この処理は「チャネル推定」としても知られている。したがって、ＲＳは、チャネル推定を容易にするために送信されうる。チャネル推定値を導出すると、これらの推定値は、送信された情報の復調のために使用される。この種のＲＳはしばしば、復調ＲＳあるいはＤＭ−ＲＳと称される。ＲＳは、例えばチャネル・サウンディング（サウンディング基準信号、すなわち、“ＳＲＳ”）、同期、あるいはその他任意の目的のようなその他の目的のためにも送信されることに注目されたい。また、ＲＳはしばしば、パイロット信号、トレーニング信号、あるいはその他任意の同義語で称されうることに注目されたい。
【００１１】
現代の多くの通信システムでは、ＤＭ−ＲＳは、ＵＥに特有でありうる（ここでは、“ＵＥ−ＲＳ”、すなわち、ユーザ機器特有の基準信号（User-Equipment Specific Reference Signal）と称される）。例えば、ＬＴＥのリリース９およびリリース１０は、復調のためにＵＥ−ＲＳに依存する。例えば、最大８つの送信レイヤを備えた単一ユーザＭＩＭＯ（“ＳＵ−ＭＩＭＯ”）、および、ネットワーク内の複数のセルおよびノード間で協調および調整されたマルチ・ユーザＭＩＭＯ（“ＭＵ−ＭＩＭＯ”）動作、のようなＬＴＥの新たなリリースでは、異なる空間処理技術が考慮される。この協調は、各ユーザの送信ポイントが未だに１つのセルにあるビーム調整レベルにあるか、または、特定のＵＥのためのデータ・パケットが複数のセルから送信される統合送信レベルにありうる。これらＵＥ−ＲＳは、これら異なる空間処理技術の下における効率的な動作を可能にするのに役立つ。
【００１２】
さらに、これらＵＥ−ＲＳは、ＵＥに割り当てられたリソースから、ローカル・チャネル推定をＵＥに提供しうる。そして、固有のチャネル応答を持つ異なるアンテナ・ポートを用いて送信されたものとして取り扱われる。ＵＥ−ＲＳの一般的な用途は、特定のＵＥへのデータ送信のビームフォーミングを可能にすることである。例えば、ｅノードＢは、特定のＵＥの方向にナロー・ビームを生成するために、他の（セル特有の）アンテナ・ポートの送信のために使用される物理アンテナを用いるのではなく、物理アンテナ素子の相関アレイを使用しうる。このようなビームは、ｅノードＢとＵＥとの間で、異なるチャネル応答を受けるので、ビームフォームされたデータをＵＥがコヒーレントに復調できるようにするために、ＵＥ特有のＲＳを用いることが必要となる。
【００１３】
送信されたデータの復調および復号を、ＵＥが実行できるようにするために、ＵＥ−ＲＳ情報が、ＵＥに伝送される必要がある。このような情報によって、データ・シンボルのために使用されるリソース要素（“ＲＥ”）を知っているＵＥは、他の手順の中でも、チャネルおよび干渉の推定を実行できるようになる。したがって、必要なものは、ＵＥ−ＲＳ情報をＵＥに効率的に送信する方式である。
【００１４】
本願は、この問題を取り扱う。
【発明の概要】
【００１５】
本開示は一般に、多元接続無線通信システムにおいてユーザ特有の基準信号情報を符号化するための装置および方法に関する。この情報は、例えば、アンテナ・ポートのセット、送信のランク、および、ユーザ特有の基準信号パターンを示すインジケーションを含みうる。符号化された情報は、ダウンリンク制御チャネルにおけるオーバヘッドを低減するために、ダウンリンク制御チャネルで送信される。
【００１６】
１つの態様では、本開示は、ユーザ機器に関連付けられたユーザ特有の基準信号に関する、符号化された情報を提供することを容易にする方法に関する。符号化された情報には、ユーザ特有の基準信号に関する少なくとも１つのパラメータとともに、少なくとも、送信ランクを示すインジケーションを提供するためのビット・シーケンスが含まれる。符号化された情報は、ダウンリンク制御チャネルのペイロード内で送信される。
【００１７】
別の態様では、本開示は、無線通信のための方法に関する。ユーザ機器に関連付けられたユーザ特有の基準信号に関する符号化された情報が、ダウンリンク制御チャネルで受信される。符号化された情報は、ユーザ特有の基準信号に関する少なくとも１つのパラメータとともに、少なくとも、送信ランクを示すインジケーションを符号化するビット・シーケンスを含む。符号化された情報は、ユーザ機器において復号される。
【００１８】
また別の態様では、本開示は、無線通信のための装置に関する。この装置は、ユーザ特有の基準信号パラメータを選択する手段と、選択されたユーザ特有の基準信号パラメータを、少なくとも１つの関連付けられたユーザ特有の基準信号パラメータとともに符号化する手段と、ともに符号化されたユーザ特有の基準信号パラメータを、ユーザ特有の基準信号に関連付けられたユーザ機器に、ダウンリンク制御チャネルで送信する手段とを含む。
【００１９】
また別の態様では、本開示は、無線通信のための装置に関する。この装置は、ＵＥに関連付けられたユーザ特有の基準信号に関する符号化された情報を、ダウンリンク制御チャネルで受信する手段と、ここで、符号化された情報は、ユーザ特有の基準信号に関する少なくとも１つのパラメータとともに、少なくとも、送信ランクを示すインジケーションを符号化するビット・シーケンスを含む、符号化された情報を復号する手段と、を含む。
【００２０】
また別の態様では、本開示は、無線通信のための装置に関する。この装置は、ＵＥに関連付けられたユーザ特有の基準信号に関する符号化された情報を、ダウンリンク制御チャネルで受信し、ここで、符号化された情報は、ユーザ特有の基準信号に関する少なくとも１つのパラメータとともに、少なくとも、送信ランクを示すインジケーションを符号化するビット・シーケンスを含む、符号化された情報を復号する、ように構成されたプロセッサを含む。
【００２１】
さらなる態様では、本開示は、無線通信システムにおいて使用され、コンピュータ読取可能な記憶媒体を含む、コンピュータ・プログラム製品に関する。このコンピュータ読取可能な記憶媒体は、少なくとも１つのコンピュータに対して、送信のランクを選択させるための命令群と、少なくとも１つのコンピュータに対して、選択されたランクを、ユーザ特有の基準信号に関する少なくとも１つのパラメータに関連付けさせるための命令群と、少なくとも１つのコンピュータに対して、ダウンリンク制御チャネルにおけるオーバヘッドを低減するために、少なくとも１つのパラメータとランクとをともに示すインジケーションを提供させるための命令群と、を備える。
【００２２】
別の態様では、本開示は、ユーザ機器に関連付けられたユーザ特有の基準信号に関する、符号化された情報を提供することを容易にする装置に関する。この装置は、符号化された情報内に、ユーザ特有の基準信号に関する少なくとも１つのパラメータとともに、少なくとも、送信ランクを示すインジケーションを符号化するビット・シーケンスを含め、符号化された情報を、ダウンリンク制御チャネルのペイロード内で送信する、ように構成されたプロセッサを含む。
【００２３】
また別の態様では、本開示は、ユーザ機器に関連付けられたユーザ特有の基準信号に関する、符号化された情報を提供することを容易にし、コンピュータ読取可能な記憶媒体を含むコンピュータ・プログラム製品に関する。このコンピュータ読取可能な記憶媒体はさらに、少なくとも１つのコンピュータに対して、符号化された情報に、ユーザ特有の基準信号に関する少なくとも１つのパラメータとともに、少なくとも、送信ランクを示すインジケーションを符号化するビット・シーケンスを含めさせるための命令群と、少なくとも１つのコンピュータに対して、符号化された情報を、ダウンリンク制御チャネルのペイロード内で送信させるための命令群と、を備える。
【００２４】
さらなる態様では、本開示は、ユーザ機器（ＵＥ）に関連付けられたユーザ特有の基準信号に関する、符号化された情報を提供することを容易にする方法に関する。送信のランクが選択される。選択された送信のランクは、ユーザ特有の基準信号（ＵＥ−ＲＳ）に関する少なくとも１つのパラメータに関連付けられる。ダウンリンク制御チャネルにおけるシグナリング・オーバヘッドを低減するために、スケジューリング制約のセットが提供される。少なくとも１つのパラメータとランクとをともに示すインジケーションが、このスケジューリング制約のセットにしたがってダウンリンク制御チャネルで送信される。
【００２５】
さらなる態様では、本開示は、ユーザ機器（ＵＥ）に関連付けられたユーザ特有の基準信号に関する、符号化された情報を提供することを容易にする装置に関する。この装置は、送信のランクを選択する手段と、この送信のランクを、ユーザ特有の基準信号（ＵＥ−ＲＳ）に関する少なくとも１つのパラメータに関連付ける手段と、少なくとも１つのパラメータとランクとをともに示すインジケーションを、スケジューリング制約のセットにしたがって提供する手段と、ここで、スケジューリング制約のセットは、ダウンリンク制御チャネルにおけるオーバヘッドを低減するために選択される、ダウンリンク制御チャネルで、このインジケーションを送信する手段と、を含む。
【００２６】
別の態様では、本開示は、ユーザ機器（ＵＥ）において無線通信を容易にする方法に関する。この方法は、ユーザ特有の基準信号（ＵＥ−ＲＳ）に関する少なくとも１つのパラメータと、少なくとも１つのスケジューリング・パラメータとをともに示すインジケーションを受信することと、少なくとも１つのスケジューリング・パラメータに少なくとも部分的に基づいて、チャネルまたは干渉の推定を実行することと、を含む。
【００２７】
別の態様では、本開示は、ユーザ機器（ＵＥ）において無線通信を容易にする装置に関する。この装置は、ユーザ特有の基準信号（ＵＥ−ＲＳ）に関する少なくとも１つのパラメータと、少なくとも１つのスケジューリング・パラメータとをともに示すインジケーションを受信する手段と、少なくとも１つのスケジューリング・パラメータに少なくとも部分的に基づいて、チャネルまたは干渉の推定を実行する手段と、を含む。
【００２８】
本開示はさらに、上述された方法のみならず、本明細書に記載された他のものを実現するためのコンピュータ・プログラム製品、デバイス、装置およびシステムに関する。追加のさまざまな態様がさらに、添付図面と連携して以下に記載される。
【図面の簡単な説明】
【００２９】
本願は、同一の参照符号が全体を通じて同一の部位を示す添付図面と連携して採用された以下の詳細記述に関連してより十分に理解されうる。
【図１】図１は、典型的な実施形態が実現されうる多元接続無線通信システムを例示する。
【図２】図２は、ＭＩＭＯ通信システムの実施形態のブロック図を例示する。
【図３】図３は、ＵＥ−ＲＳのための典型的なパターンを例示する。
【図４】図４は、ＵＥにＵＥ−ＲＳパラメータを伝送するための処理のフローチャートを例示する。
【図５】図５は、ＵＥ−ＲＳパラメータの統合符号化の典型的な実施形態のフローチャートを例示する。
【発明を実施するための形態】
【００３０】
無線通信を容易にするための装置および方法が開示される。この装置および方法は、送信ノードにおいて、所与のＵＥに関するＵＥ−ＲＳに関連付けられた１または複数のＵＥ−ＲＳパラメータを選択することと、オーバヘッドを低減するために、ＵＥ−ＲＳパラメータをともに符号化することと、符号化された情報をＵＥへ送信することと、ＵＥ−ＲＳパラメータを導出するために、符号化された情報を、ＵＥにおいて復号することと、導出されたＵＥ−ＲＳパラメータを、他の手順の中でも、チャネルおよび干渉の推定を実行するために用いることと、を含みうる。
【００３１】
さまざま実施形態では、本明細書に記載された技術は、例えば、符号分割多元接続（“ＣＤＭＡ”）ネットワーク、時分割多元接続（“ＴＤＭＡ”）ネットワーク、周波数分割多元接続（“ＦＤＭＡ”）ネットワーク、直交ＦＤＭＡ（“ＯＦＤＭＡ”）ネットワーク、シングル・キャリアＦＤＭＡ（“ＳＣ−ＦＤＭＡ”）ネットワークのみならず、その他の通信ネットワークのような無線通信ネットワークのために使用されうる。本明細書で説明されるように、「システム」、「ネットワーク」という用語は、しばしば置換可能に使用される。
【００３２】
ＣＤＭＡネットワークは、例えば、ユニバーサル地上ラジオ・アクセス（“ＵＴＲＡ”）、ＣＤＭＡ２０００等のようなラジオ技術を実現しうる。ＵＴＲＡは、広帯域ＣＤＭＡ（“Ｗ−ＣＤＭＡ”）および低チップ・レート（“ＬＣＲ”）を含む。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（“ＧＳＭ（登録商標）”）のようなラジオ技術を実現しうる。
【００３３】
ＯＦＤＭＡネットワークは、例えば、イボルブドＵＴＲＡ（“Ｅ−ＵＴＲＡ”）、ＩＥＥＥ８０２．１１、ＩＥＥＥ８０２．１６、ＩＥＥＥ８０２．２０、フラッシュ−ＯＦＤＭ（登録商標）等のようなラジオ技術を実現する。ＵＴＲＡ、Ｅ−ＵＴＲＡ、およびＧＳＭは、ユニバーサル・モバイル・テレコミュニケーション・システム（“ＵＭＴＳ”）の一部である。特に、ロング・ターム・イボリューション（“ＬＴＥ”）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（“３ＧＰＰ”）と命名された組織からの文書に記載されており、ＣＤＭＡ２０００は、「第３世代パートナシップ計画２」（３ＧＰＰ２）と命名された組織からの文書に記載されている。
【００３４】
これらさまざまなラジオ技術および規格は、当該技術分野において知られている。明確化のために、これら装置および方法のある態様は、以下において、ＬＴＥ実施のために記載されており、ＬＴＥ用語が以下の説明の多くで使用される。しかしながら、この説明は、ＬＴＥアプリケーションに限定されるようには意図されていない。したがって、本明細書で記載された装置および方法は、その他さまざまな通信システムおよびアプリケーションに適用されうることが、当業者によって認識される。
【００３５】
シングル・キャリア変調および周波数領域等値化を利用するシングル・キャリア周波数分割多元接続（“ＳＣ−ＦＤＭＡ”）は、興味のある１つの通信技術である。ＳＣ−ＦＤＭＡは、ＯＦＤＭＡと同様の性能および実質的に同じ全体的な複雑さを有する。しかしながら、ＳＣ−ＦＤＭＡ信号は、固有のシングル・キャリア構造のために、ＯＦＤＭＡ信号よりも低い平均ピーク対電力比（“ＰＡＰＲ”）を有する。その結果、ＳＣ−ＦＤＭＡは、送信電力効率に関して、より低いＰＡＰＲがモバイル端末に大いに有益となるアップリンク通信において特に、最近、大きな注目を集めた。ＳＣ−ＦＤＭＡを用いることは、現在、３ＧＰＰロング・ターム・イボリューション（“ＬＴＥ”）またはＥ−ＵＴＲＡにおけるアップリンク多元接続スキームのための動作前提となっている。
【００３６】
無線通信システムにおける論理チャネルは、制御チャネルおよびトラフィック・チャネルに分類されうる。論理制御チャネルは、システム制御情報をブロードキャストするためのダウンリンク（“ＤＬ”）チャネルであるブロードキャスト制御チャネル（“ＢＣＣＨ”）と、ページング情報を転送するＤＬチャネルであるページング制御チャネル（“ＰＣＣＨ”）と、１またはいくつかのマルチキャスト・トラフィック・チャネル（単数または複数）（“ＭＴＣＨ”）のためのマルチメディア・ブロードキャストおよびマルチキャスト・サービス（“ＭＢＭＳ”）スケジューリングおよび制御情報を送信するために使用されるポイント・トゥ・マルチポイントＤＬチャネルであるマルチキャスト制御チャネル（“ＭＣＣＨ”）とを備えうる。一般に、ラジオ・リソース制御（“ＲＲＣ”）接続を確立した後、このチャネルは、ＭＢＭＳを受信するＵＥによってのみ使用される。さらに、専用制御チャネル（“ＤＣＣＨ”）は、専用制御情報を送信するポイント・トゥ・ポイント双方向チャネルであり、ＲＲＣ接続を有するＵＥによって使用される。
【００３７】
論理トラフィック・チャネルは、ユーザ情報の転送のために１つのＵＥに特化されたポイント・トゥ・ポイント双方向チャネルである専用トラフィック・チャネル（“ＤＴＣＨ”）と、トラフィック・データを送信するためのポイント・トゥ・マルチポイントＤＬチャネルであるＭＴＣＨとを備える。
【００３８】
伝送チャネルは、ダウンリンク（“ＤＬ”）とアップリンク（“ＵＬ”）に分類される。ＤＬ伝送チャネルは、ブロードキャスト・チャネル（“ＢＣＨ”）、ダウンリンク共有データ・チャネル（“ＤＬ−ＳＤＣＨ”）、およびページング・チャネル（“ＰＣＨ”）を備えうる。ＰＣＨは、セル全体にわたってブロードキャストされることによって、および、他の制御／トラフィック・チャネルのために使用されうる物理レイヤ（“ＰＨＹ”）リソースにマップされることによって、（例えば、ＤＲＸサイクルがネットワークによってＵＥへ示される場合、）ＵＥ節電をサポートするために使用されうる。ＵＬ伝送チャネルは、ランダム・アクセス・チャネル（“ＲＡＣＨ”）、要求チャネル（“ＲＥＱＣＨ”）、アップリンク共有データ・チャネル（“ＵＬ−ＳＤＣＨ”）、および複数のＰＨＹチャネルを備えうる。ＰＨＹチャネルは、ＤＬチャネルおよびＵＬチャネルのセットを備えうる。
【００３９】
さらに、ＤＬ  ＰＨＹチャネルは、以下のチャネルを備える。
【００４０】
共通パイロット・チャネル（“ＣＰＩＣＨ”）
同期チャネル（“ＳＣＨ”）
共通制御チャネル（“ＣＣＣＨ”）
共有ＤＬ制御チャネル（“ＳＤＣＣＨ”）
マルチキャスト制御チャネル（“ＭＣＣＨ”）
共有ＵＬ割当チャネル（“ＳＵＡＣＨ”）
アクノレッジメント・チャネル（“ＡＣＫＣＨ”）
ＤＬ物理共有データ・チャネル（“ＤＬ−ＰＳＤＣＨ”）
ＵＬ電力制御チャネル（“ＵＰＣＣＨ”）
ページング・インジケータ・チャネル（“ＰＩＣＨ”）
負荷インジケータ・チャネル（“ＬＩＣＨ”）
一方、ＵＬ  ＰＨＹチャネルは、以下のチャネルのセットを備える。
【００４１】
物理ランダム・アクセス・チャネル（“ＰＲＡＣＨ”）
チャネル品質インジケータ・チャネル（“ＣＱＩＣＨ”）
アクノレッジメント・チャネル（“ＡＣＫＣＨ”）
アンテナ・サブセット・インジケータ・チャネル（“ＡＳＩＣＨ”）
共有要求チャネル（“ＳＲＥＱＣＨ”）
ＵＬ物理共有データ・チャネル（“ＵＬ−ＰＳＤＣＨ”）
ブロードキャスト・パイロット・チャネル（“ＢＰＩＣＨ”）
さまざまな実施形態の説明の目的のために、次の用語および略語が本明細書で使用されうる。
【００４２】
ＡＭ：アクノレッジ・モード
ＡＭＤ：アクノレッジ・モード・データ
ＡＲＱ：自動反復要求
ＢＣＣＨ：ブロードキャスト制御チャネル
ＢＣＨ：ブロードキャスト・チャネル
Ｃ−：制御−
ＣＣＣＨ：共通制御チャネル
ＣＣＨ：制御チャネル
ＣＣＴｒＣＨ：符号化された合成伝送チャネル
ＣＰ：サイクリック・プレフィクス
ＣＲＣ：巡回冗長検査
ＣＴＣＨ：共通トラフィック・チャネル
ＤＣＣＨ：専用制御チャネル
ＤＣＨ：専用チャネル
ＤＬ：ダウンリンク
ＤＳＣＨ：ダウンリンク共有チャネル
ＤＴＣＨ：専用トラフィック・チャネル
ＤＣＩ：ダウンリンク制御情報
ＦＡＣＨ：順方向リンク・アクセス・チャネル
ＦＤＤ：周波数分割デュプレクス
Ｌ１：レイヤ１（物理レイヤ）
Ｌ２：レイヤ２（データ・リンク・レイヤ）
Ｌ３：レイヤ３（ネットワーク・レイヤ）
ＬＩ：長さインジケータ
ＬＳＢ：最下位ビット
ＭＡＣ：媒体アクセス制御
ＭＢＭＳ：マルチメディア・ブロードキャスト・マルチキャスト・サービス
ＭＣＣＨ：ＭＢＭＳポイント・トゥ・マルチポイント制御チャネル
ＭＲＷ：動き受信ウィンドウ
ＭＳＢ：最上位ビット
ＭＳＣＨ：ＭＢＭＳポイント・トゥ・マルチポイント・スケジューリング・チャネル
ＭＴＣＨ：ＭＢＭＳポイント・トゥ・マルチポイント・トラフィック・チャネル
ＰＣＣＨ：ページング制御チャネル
ＰＣＨ：ページング・チャネル
ＰＤＵ：プロトコル・データ・ユニット
ＰＨＹ：物理レイヤ
ＰｈｙＣＨ：物理チャネル
ＲＡＣＨ：ランダム・アクセス・チャネル
ＲＬＣ：ラジオ・リンク制御
ＲＲＣ：ラジオ・リソース制御
ＳＡＰ：サービス・アクセス・ポイント
ＳＤＵ：サービス・データ・ユニット
ＳＨＣＣＨ：共有チャネル制御チャネル
ＳＮ：シーケンス番号
ＳＵＦＩ：スーパ・フィールド
ＴＣＨ：トラフィック・チャネル
ＴＤＤ：時分割デュプレクス
ＴＦＩ：伝送フォーマット・インジケータ
ＴＭ：透過モード
ＴＭＤ：透過モード・データ
ＴＴＩ：送信時間インタバル
Ｕ−：ユーザ−
ＵＥ：ユーザ機器
ＵＬ：アップリンク
ＵＭ：非アクノレッジ・モード
ＵＭＤ：非アクノレッジ・モード・データ
ＵＭＴＳ：ユニバーサル・モバイル通信システム
ＵＴＲＡ：ＵＭＴＳ地上ラジオ・アクセス
ＵＴＲＡＮ：ＵＭＴＳ地上ラジオ・アクセス・ネットワーク
ＭＢＳＦＮ：マルチキャスト・ブロードキャスト単一周波数ネットワーク
ＭＣＥ：ＭＢＭＳ調整エンティティ
ＭＣＨ：マルチキャスト・チャネル
ＤＬ−ＳＣＨ：ダウンリンク共有チャネル
ＭＳＣＨ：ＭＢＭＳ制御チャネル
ＰＤＣＣＨ：物理ダウンリンク制御チャネル
ＰＤＳＣＨ：物理ダウンリンク共有チャネル
ＰＣＦＩＣＨ：物理制御フォーマット・インジケータ・チャネル
本明細書において「典型的な」という用語は、「例、事例あるいは例示として役立つ」ことを意味するために使用されると認識される。本明細書で「典型的である」と記載されたあらゆる実施形態は、他の実施形態によりも好適であるとか有利であるとか解釈される必要は必ずしもない。
【００４３】
図１に示すように、１つの典型的な実施形態にしたがう多元接続無線通信システムが例示される。さまざまな実施では、図１のＡＰ１００のようなアクセス・ポイント（“ＡＰ”）は、アクセス端末と通信するために使用される固定局でありうる。そして、アクセス・ポイント、ノードＢ、ｅノードＢ、ホームｅノードＢ（“ＨｅＮＢ”）、またはその他の用語で称されうる。図１のＡＴ１１６またはＡＴ１２２のようなアクセス端末（“ＡＴ”）は、アクセス端末、ユーザ機器（“ＵＥ”）、無線通信デバイス、端末、アクセス端末、またはその他の用語で称されうる。ＡＴ１１６、ＡＴ１２２、およびＵＥ１００は、本明細書で記載されるような実施形態のさまざまな態様を実現するように構成されうる。
【００４４】
アクセス・ポイント１００は、１つは１０４および１０６を含み、別の１つは１０８および１１０を含み、さらに別の１つは１１２および１１４を含む複数のアンテナ・グループを含む。図１では、２本のアンテナだけが各アンテナ・グループのために示されている。しかしながら、さまざまな実施形態では、２より多い、または、２より少ないアンテナも、おのおののグループのために利用されうる。
【００４５】
アクセス端末１１６はアンテナ１１２およびアンテナ１１４と通信している。アンテナ１１２およびアンテナ１１４は、順方向リンク１２０によってＡＴ１１６へ情報を送信し、逆方向リンク１１８によってＡＴ１１６から情報を受信しうる。アクセス端末１２２はアンテナ１０６およびアンテナ１０８と通信している。アンテナ１０６およびアンテナ１０８は、順方向リンク１２６によってＡＴ１２２へ情報を送信し、逆方向リンク１２４によってＡＴ１２２から情報を受信しうる。ＦＤＤシステムでは、通信リンク１１８、１２０、１２４、１２６は、ＡＰ１００とＡＴ１１６、１２２との間の通信のために、異なる周波数を利用しうる。例えば、順方向リンク１２０は、逆方向リンク１１８によって使用されるものとは異なる周波数を使用しうる。同様に、リンク１２４、１２６は、互いに異なる、および／または、リンク１１８、１２０とは異なる周波数を使用しうる。
【００４６】
通信するように設計された領域および／またはアンテナのおのおののグループは、アクセス・ポイントのセクタと称されうる。例示された典型的な実施形態では、アンテナ・グループはおのおの、アクセス・ポイント１００によってカバーされたエリアの、設計されたセクタ内のアクセス端末と通信するように設計される。例えば、アンテナ１１２、１１４を含むアンテナ・グループは、図１のセクタ１として指定されるセクタに割り当てられる一方、アンテナ１０６、１０８を含むアンテナ・グループは、セクタ２として指定されたセクタに割り当てられる。
【００４７】
順方向リンク１２０、１２６による通信では、アクセス・ポイント１００の送信アンテナは、その他のアクセス端末（図示せず）のみならず、別のアクセス端末１１６、１２２のための順方向リンクの信号対雑音比を改善するために、ビームフォーミングを利用するように構成されうる。さらに、典型的な実施では、有効通信範囲エリアにわたってランダムに分布しているアクセス端末へ送信するためにビームフォーミングを用いるアクセス・ポイントは、すべてのアクセス端末に対して単一のアンテナによって送信しているアクセス・ポイントよりも、近隣セル内のアクセス端末に対して少ない干渉しかもたらさない。ビームフォーミングを容易にするために、送信信号のプリコーディングが使用されうることが認識される。
【００４８】
典型的なＭＩＭＯシステム２００における送信機システム２１０（すなわち、アクセス・ポイント２１０）および受信機システム２５０（すなわち、アクセス端末２５０）の実施形態のブロック図を例示している図２に注目されたい。送信機システム２１０および受信機システム２５０は、図１のＡＰ１００およびＡＴ１１６に相当しうることが認識される。
【００４９】
ここで説明されるように、ユーザ特有の基準信号（“ＵＥ−ＲＳ”）を生成し使用することは、さまざまなＭＩＭＯシステム実装において利点を与える。ここで開示されたすべての実施形態では、いかなる特定の利点も必ずしも必要ではないことが理解される。ＵＥ−ＲＳは、ＡＴ２５０への送信のために、ＡＰ２１０の１または複数のモジュールで生成されうる。ＡＴ２５０は、チャネル特性の推定、および／または、受信したデータの復調のために、ＵＥ−ＲＳを受信するための１または複数のモジュールを含みうる。これは、例えばプロセッサ２１４、２３０、およびメモリ２３２のようなＡＰ２１０の１または複数の構成要素（または図示しないその他の構成要素）を含む基準信号選択モジュールにおいてなされうる。ＡＰ２１０はまた、例えば送信モジュール２２４のようなＡＰ２１０の１または複数の構成要素（または、図示しないその他の構成要素）を含む送信モジュールをも含みうる。ＡＰ２１０はまた、ＡＰ２１０の１または複数の構成要素（または、図示しないその他の構成要素）を含む基準信号パターン生成モジュールをも含みうる。同様に、ＡＴ２５０は、例えば受信機２５４のような、ＡＴ２５０（または、図示しないその他の構成要素）の１または複数の構成要素を含む受信モジュールを含みうる。ＡＴ２５０はまた、例えばプロセッサ２６０、２７０およびメモリ２７２のような、ＡＴ２５０の１または複数の構成要素（または、図示しないその他の構成要素）を含むチャネル推定モジュールを含みうる。メモリ２３２、２７２は、ここで説明されるような処理を実行する１または複数のプロセッサにおける実行のためのコンピュータ・コードを格納するために使用されうる。
【００５０】
動作中、送信機システム２１０では、多くのデータ・ストリームのトラフィック・データが、データ・ソース２１２から送信（“ＴＸ”）データ・プロセッサ２１４に提供され、ここで処理され、１または複数の受信機システム２５０へ送信される。１つの実施形態では、各データ・ストリームは、処理され、それぞれの送信アンテナ（例えば、アンテナ２２４ａ−２２４ｔ）によって送信される。ＴＸデータ・プロセッサ２１４は、おのおののデータ・ストリームのトラフィック・データを受信し、フォーマットし、このデータ・ストリームのために選択された特定の符号化スキームに基づいて符号化し、インタリーブして、符号化されたデータを提供する。
【００５１】
特に、以下により詳細に説明するように、送信システム２１０は、異なる送信ランク（すなわち、空間送信レイヤの数、プリコーディング行列におけるカラムの数）と、例えばチャネル時間や周波数選択性、サブフレーム等のようなＡＴ２５０条件および別のチャネル条件とのためのＵＥ−ＲＳパターンを選択し、ダウンリンク制御チャネルにおける送信のために、選択されたパターンおよびその他のＵＥ−ＲＳパラメータを示す効率的なインジケーションを提供する、ように構成されうる。ある実施形態では、この効率的なインジケーションは、さまざまなＵＥ−ＲＳパラメータの統合符号化によって提供されうる。
【００５２】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。パイロット・データは、図２に示されるようなＴＸデータ・プロセッサ２１４に提供され、符号化されたデータと共に多重化されうる。データ・ストリームのおのおのの多重化されたパイロットおよび符号化されたデータは、その後、変調シンボルを提供するために、このデータ・ストリームのために選択された特定の変調スキーム（例えば、ＢＰＳＫ、ＱＳＰＫ、Ｍ−ＰＳＫ、Ｍ−ＱＡＭ等）に基づいて変調（すなわち、シンボル・マップ）されうる。各データ・ストリームのデータ・レート、符号化および変調は、メモリ２３２、または、その他のメモリ、あるいは、送信システム２５０の（図示しない）命令格納媒体に格納された命令群に基づいて、プロセッサ２３０によって実行される命令群によって決定されうる。
【００５３】
すべてのデータ・ストリームの変調シンボルは、その後、ＴＸ  ＭＩＭＯプロセッサ２２０に提供される。ＴＸ  ＭＩＭＯプロセッサ２２０は、この変調シンボルを（例えば、ＯＦＤＭのために）さらに処理する。ＴＸ  ＭＩＭＯプロセッサ２２０はその後、Ｎｔ個の変調シンボル・ストリームを、Ｎｔ個の送信機（“ＴＭＴＲ”）２２２ａ乃至２２２ｔへ提供する。ある実施形態では、ＴＸ  ＭＩＭＯプロセッサ２２０は、データ・ストリームのシンボル、および、このシンボルが送信されている１または複数のアンテナへ、ビームフォーミング重みを適用しうる。
【００５４】
おのおのの送信機サブ・システム２２２ａ乃至２２２ｔは、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮｔ個の変調信号は、その後、Ｎｔ個のアンテナ２２４ａ乃至２２４ｔからそれぞれ送信される。
【００５５】
受信機システム２５０では、送信された変調信号がＮｒ個のアンテナ２５２ａ乃至２５２ｒによって受信され、おのおののアンテナ２５２からの受信信号が、それぞれの受信機（“ＲＣＶＲ”）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００５６】
ＲＸデータ・プロセッサ２６０は、Ｎｒ個の受信機２５４ａ乃至２５４ｒからＮｒ個のシンボル・ストリームを受信し、受信されたこれらシンボル・ストリームを、特定の受信機処理技術に基づいて処理して、Ｎｔ個の「検出された」シンボル・ストリームを提供する。ＲＸデータ・プロセッサ２６０は、その後、検出されたおのおののシンボル・ストリームを復調し、デインタリーブし、復号して、そのデータ・ストリームのためのトラフィック・データを復元する。ＲＸデータ・プロセッサ２６０による処理は、一般に、送信機システム２１０におけるＴＸ  ＭＩＭＯプロセッサ２２０およびＴＸデータ・プロセッサ２１４によって実行されるものと相補的である。
【００５７】
プロセッサ２７０は、プリコーディング行列を定期的に決定しうる。プロセッサ２７０は、その後、行列インデクス部およびランク値部を備える逆方向リンク・メッセージを定式化することができる。ある実施形態では、これら逆方向リンク・メッセージは、通信リンクおよび／または受信データ・ストリームに関するさまざまななタイプの情報を含みうる。その後、逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００５８】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。さらに、プロセッサ２３０は、ビームフォーミング重みを決定するためにどのプリコーディング行列を使用するかを決定するために、この抽出されたメッセージを処理する。
【００５９】
シングル・キャリア波形の、低いＰＡＰＲ（例えば、所与の時間において、チャネルは周波数において隣接しているか、一様に配置されている）特性を保つチャネル構造が使用されうることが認識される。ＵＥ−ＲＳは、データ・シンボルが受けたものと同じプリコーディング演算がなされうることも認識される。
【００６０】
ある実施形態では、ＵＥ−ＲＳパターンは、送信ランクと、例えばチャネル時間および周波数選択性、サブフレーム・フォーマット等のようなＵＥ条件および別のチャネル条件とにしたがって選択されうる。
【００６１】
図３は、通常のサイクリック・プレフィクス（“ＣＰ”）サブフレームのために、ＬＴＥリリース１０における４レイヤまでの送信のための典型的なＵＥ−ＲＳパターンを例示する。図３における正方形はそれぞれ、リソース要素（“ＲＥ”）を表し、色の付いた陰付き領域はそれぞれ、２つのＵＥ−ＲＳポートを多重化する符号分割多重化（“ＣＤＭ”）グループを表す。例えば、ランク２送信の場合、２つのＵＥ−ＲＳポートが、ＣＤＭ方式で多重化された黒色の陰付きＲＥにおいて存在する。別の例では、ランク４送信の場合、４つのＵＥ−ＲＳポートが存在し、うち２つが黒色の陰付きＲＥ（３００）に存在し、２つが灰色の陰付きＲＥ（３０２）に存在する。
【００６２】
ＵＥがデータの復調および復号を実行できるようにするために、ＵＥは、例えば、（１）ＵＥ−ＲＳパターン、（２）ＵＥ−ＲＳポート位置、および（３）位置マッピングへのＵＥ−ＲＳポート、のようないくつかのＵＥ−ＲＥパラメータを少なくとも認識している必要がありうる。このような情報によって、データ・シンボルのために使用されているＲＥを知っているＵＥは、他の手順の中でも、チャネルおよび干渉の推定を実行できるようになりうる。以下に説明するように、これらおよびその他のＵＥ−ＲＳパラメータは、ダウンリンク制御チャネルで送信する場合のオーバヘッドを節約するために、ともに符号化されうる。
【００６３】
図４を参照して、ＵＥにＵＥ−ＲＳパラメータを伝送するための処理を例示するフローチャートが記載される。まず、１または複数のＵＥ−ＲＳパラメータが選択される（４００）。選択されたパラメータは、例えば、（１）ＵＥへの送信のために使用されるＵＥ−ＲＳアンテナ・ポートのセット、（２）ＵＥ−ＲＳパターン、（３）送信のランク、（４）例えばＵＥ−ＲＳシーケンス初期化ＩＤのようなＵＥ−ＲＳシーケンス初期化パラメータ、および（５）（例えば、セルにわたるＭＵ−ＭＩＭＯまたは協調ＭＩＭＯにおける）すべてのＵＥに割り当てられたＵＥ−ＲＳポートの合計数、を含みうる。例えば、アンテナ・ポートおよび選択されたランクを示すインジケーションを提供するために、送信のランクが選択され、次に、ＵＥ−ＲＳパターンが続く。さらに、例えば（すべてのＵＥを含む）レイヤの合計数のような情報もまた、ＵＥ−ＲＳパラメータ内に含められうる。
【００６４】
ある実施形態では、これらのパラメータの知見は、静的、準静的、および動的なシグナリング、または、これらの組み合わせによって利用可能となりうる。例えば、静的なシグナリングでは、ＵＥは、ＰＢＣＨでシグナルされたアンテナ・ポートの数に基づいて、特定のランク以外のパターンを除外しうる。準静的なシグナリングでは、ＵＥは、ＵＥ−ＲＳアンテナ・ポートのサブセットをシグナルされうる。その後、スケジューラが、データをＵＥへ送信するために、このサブセットからのアンテナ・ポートを使用しうる。ＵＥ−ＲＳ送信のために使用されるシーケンスも、準静的な方式で示されうる。また、動的なシグナリングの場合には、ＵＥ−ＲＳパターンは、ＤＬ許可によってシグナルされうる。
【００６５】
シグナリング・メカニズムを設計する際、スケジューリングおよび関連付けられたオーバヘッドの柔軟性が考慮されうることが認識される。例えば、レガシーＬＴＥダウンリンク制御情報（“ＤＣＩ”）は、例えば、送信のランク、プリコーディング情報、パケット・フォーマット、ＨＡＲＱ等のようなＵＥへの送信に関する制御情報を提供する。
【００６６】
ある実施形態では、ＵＥ−ＲＳパラメータは、ＤＬ制御シグナリングにおけるオーバヘッドを節約することと、ＵＥ−ＲＳパラメータ間に存在する冗長性を探索することとをできる程度にともに符号化される（４０５）。例えば、送信のために使用されるＵＥ−ＲＳアンテナ・ポートは、送信のランクを示しうる。この冗長性は、オーバヘッドを低減するために使用されうる。ＵＥ−ＲＳパラメータは、符号化された後、ダウンリンク制御チャネルで送信され（４１０）、ＵＥにおいて復号される。ＵＥは、その後、送信されたデータを復調および復号するために、導出されたＵＥ−ＲＳパラメータと送信されたＵＥ−ＲＳとを用いる。
【００６７】
図５は、図４の統合符号化（４０５）の典型的な実施形態をより詳細に例示するフローチャートである。まず、選択されたＵＥ−ＲＳパターンが、例えば、ランク４までの送信のために１ビットのような、所与のビット数で符号化される（５００）。次に、シグナリングにおけるいくつかの制約が、スケジューラ動作の柔軟性に悪影響を与えないことを考慮することによって、所与の送信ランクと、アンテナ・ポートのセットとの間での割当がなされる（５０５）。例えば、ＵＥ−ＲＳアンテナ・ポートが、類似のおよび対称的な特性（例えば、密度、構造）を持っていると仮定すると、最初の３つのアンテナ・ポートまたは最後の３つのアンテナ・ポートから生じるランク３送信は、同一である。したがって、最初の３つのＵＥ−ＲＳアンテナ・ポートから生じるランク３送信のみを制限することで、パフォーマンスおよび柔軟性のインパクトを与えることなく、シグナリングにおけるオーバヘッドを低減しうる。
【００６８】
一例では、送信のランクは、ＵＥ−ＲＳパターンおよびＵＥ−ＲＳアンテナ・ポート・ビットから独立したビットを用いて示されうる。これは、ＬＴＥリリース８  ＤＣＩフォーマットの拡張である。図３に示すようなランク４までの動作と、２つのＵＥ−ＲＳパターンとからなるシステムの場合、２ビットがランクを示すために使用され、１ビットが、どのＵＥ−ＲＳパターンが使用されているのかを示すために使用され、４ビットが、ＵＥ−ＲＳアンテナ・ポートを示すために使用され、この結果、合計して７ビットになる。
【００６９】
この例を考慮すると、図３におけるＵＥ−ＲＳポートの対称構造に依存することは、ＵＥに割り当てられたＵＥ−ＲＳアンテナ・ポート・インデクスが連続していることを確証しうる（ＵＥ−ＲＳパターンにおいて利用可能なＵＥ−ＲＳポートの最大数のモジュロ）。この場合、この情報の符号化は、開始ＵＥ−ＲＳポート・インデクスと、送信のランクとを示すインジケーションを必要としうる。そこで、この例の場合、ＵＥ−ＲＳパターンを符号化するために１ビットが必要とされ、ランクを符号化するために２ビットが必要とされ、開始ＵＥ−ＲＳアンテナ・ポートを符号化するために２ビットが必要とされ、この結果、合計して５ビットになる。
【００７０】
あるいは、アンテナ・ポート・インデクスとランク情報とを示すインジケーションを用いた統合割当を案出することが可能である。この場合、ＵＥ−ＲＳのために使用されるＵＥ−ＲＳポートの数は、このＵＥに対する送信レイヤの数（すなわち、ランク）を決定する。例えば、０、１、２からＮ（使用されうるポートの合計数）までのアンテナ・ポートのインデクスして、以下のようなランクとアンテナ・ポートとの統合割当がなされうる。  
【表１】
0005559344.tif 000002
【００７１】
これらの８つのランクおよびアンテナ・ポートの割当は、３ビットで統合的に符号化されうる（５１０）。１ビットはＵＥ−ＲＳパターンを示すためにも使用されうると仮定すると、合計のオーバヘッドは、４ビットに低減される。追加のＵＥ−ＲＳパラメータが、ＵＥ−ＲＳアンテナ・ポートおよびランクと統合的に符号化され、例えば、ＵＥ−ＲＳパターン、ＵＥ−ＲＳシーケンス初期化ＩＤパラメータがＵＥへ提供されうる（５１５）ことが認識される。
【００７２】
現在のＬＴＥ仕様では、アンテナ・ポート値は、アンテナ・ポートに対応するＵＥ−ＲＳ値の送信のために使用されるスクランブリング・シーケンス初期化ＩＤおよびＵＥ−ＲＳ拡散シーケンスのみならず、使用されているＵＥ−ＲＳ位置およびＵＥ−ＲＳパターンをも示しうることが認識される。
【００７３】
アンテナ・ポート、ランク、および、ＵＥ−ＲＳパターンをともに示すインジケーションもまた考慮されうることが認識される。例えば、ランク２のアンテナ・ポート｛２，３｝は、図３に示すＵＥ−ＲＳパターンＡとともに用いられない場合がある。これらの制約はさらに、アンテナ・ポート、ランク、および、ＵＥ−ＲＳパターンの統合符号化において活用されうる。
【００７４】
ＵＥ−ＲＳパラメータの統合符号化に関して上述された例は、ランク４送信までのためであることがさらに認識される。しかしながら、同じ原理が、ＵＥ−ＲＳパターンの数における異なる仮定またはより高いランクについても有効でありうることが明らかである。さらに、与えられた例は、ＤＬ許可を用いた動的シグナリングについてであるが、このシグナリングのいくつかの態様は、準静的になされ、その他は、動的になされうることが認識される。これは、実際に、より高次の送信ランク（例えば、ランク４以上）についても役立ちうる。
【００７５】
開示された処理におけるステップの具体的な順序または階層は、典型的なアプローチの例であることが理解される。設計選択に基づいて、これら処理におけるステップの具体的な順序または階層は、本開示のスコープ内であることを保ちながら、再構成されうることが理解される。方法請求項は、さまざまなステップの要素を、サンプル順で示しており、示された具体的な順序または階層に限定されないことが意味される。
【００７６】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００７７】
当業者であればさらに、本明細書で開示された実施形態に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、それらの機能の観点から一般的に記載された。それら機能がハードウェアとしてまたはソフトウェアとして実現されるかは、特定のアプリケーションおよびシステム全体に課せられている設計制約に依存する。当業者であれば、特定のアプリケーションのおのおのに応じて変化する方式で、上述した機能を実現することができる。しかしながら、この適用判断は、本発明の範囲からの逸脱をもたらすものと解釈されるべきではない。
【００７８】
本明細書で開示された実施形態に関連して記述されたさまざまな例示的な論理ブロック、モジュール、および回路は、汎用プロセッサ、デジタル信号プロセッサ（“ＤＳＰ”）、特定用途向け集積回路（“ＡＳＩＣ”）、フィールド・プログラマブル・ゲート・アレイ（“ＦＰＧＡ”）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代わりに、従来技術によるプロセッサ、コントローラ、マイクロコントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７９】
本明細書で開示された実施形態に関して記述された方法またはアルゴリズムのステップは、ハードウェアにおいて直接的に、プロセッサによって実行されるソフトウェア・モジュールによって、あるいはこれら２つの組み合わせによって具体化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリート部品として存在しうる。
【００８０】
開示された実施形態の上記記載は、当業者をして、本開示の製造または利用を可能とするように提供される。これら実施形態に対するさまざまな変形例もまた、当業者には明らかであって、本明細書で定義された一般的な原理は、本開示の主旨または範囲から逸脱することなく他の例にも適用されうる。このように、本開示は、本明細書で示された実施形態に限定されるものではなく、本明細書で開示された原理および新規な特徴に一致した最も広い範囲に相当することが意図されている。
以下に本願発明の当初の特許請求の範囲に記載された発明を付記する。
［Ｃ１］
ユーザ機器（ＵＥ）に関連付けられたユーザ特有の基準信号に関する、符号化された情報を提供することを容易にする方法であって、
前記符号化された情報に、前記ユーザ特有の基準信号に関する少なくとも１つのパラメータとともに、少なくとも、送信ランクを示すインジケーションを符号化するビット・シーケンスを含めることと、
前記符号化された情報を、ダウンリンク制御チャネルのペイロード内で送信することと、
を備える方法。
［Ｃ２］
前記少なくとも１つのパラメータは、前記ユーザ特有の基準信号の前記ＵＥへの送信のために使用されるアンテナ・ポートを示すインジケーションを備える、Ｃ１に記載の方法。
［Ｃ３］
前記少なくとも１つのパラメータは、前記ユーザ特有の基準信号を特徴付ける時間−周波数リソース・パターンを備える、Ｃ２に記載の方法。
［Ｃ４］
前記ビット・シーケンスは、前記送信ランクを示す２ビットと、前記アンテナ・ポートのうちの最初の１つを示す２ビットと、を含むＣ２に記載の方法。
［Ｃ５］
前記ビット・シーケンスはさらに、前記ユーザ特有の基準信号を特徴付ける時間−周波数リソース・パターンを示す１ビットを含む、Ｃ４に記載の方法。
［Ｃ６］
前記ビット・シーケンスは、前記アンテナ・ポートを示すインジケーションと前記送信ランクとをともに示す複数のビットを含む、Ｃ２に記載の方法。
［Ｃ７］
前記ユーザ特有の基準信号の送信のために、最大で４つのアンテナ・ポートが使用される、Ｃ６に記載の方法。
［Ｃ８］
前記複数のビットは、
前記送信ランクが１であり、前記４つのアンテナ・ポートのうちの特定の１つが、前記ユーザ特有の基準信号を送信するために使用されること、
前記送信ランクが２であり、前記４つのアンテナ・ポートのうちの特定の２つが、前記ユーザ特有の基準信号を送信するために使用されること、
前記送信ランクが３であり、前記４つのアンテナ・ポートのうちの特定の３つが、前記ユーザ特有の基準信号を送信するために使用されること、
前記送信ランクが４であり、前記４つのアンテナ・ポートのおのおのが、前記ユーザ特有の基準信号を送信するために使用されること、
のうちの１つを示す３ビットを含む、Ｃ７に記載の方法。
［Ｃ９］
前記符号化された情報に、ＵＥ−ＲＳパターンを示すインジケーションを提供することをさらに備える、Ｃ１に記載の方法。
［Ｃ１０］
前記少なくとも１つのパラメータはさらに、前記ＵＥに割り当てられたＵＥ−ＲＳポートの合計数と、ＵＥ−ＲＳシーケンス初期化ＩＤとのうちの少なくとも１つを備える、Ｃ３に記載の方法。
［Ｃ１１］
無線通信のための方法であって、
ユーザ機器（ＵＥ）に関連付けられたユーザ特有の基準信号に関する符号化された情報を、ダウンリンク制御チャネルで受信することと、
ここで、前記符号化された情報は、前記ユーザ特有の基準信号に関する少なくとも１つのパラメータとともに、少なくとも、送信ランクを示すインジケーションを符号化するビット・シーケンスを含む、
前記符号化された情報を復号することと、
を備える方法。
［Ｃ１２］
前記少なくとも１つのパラメータは、前記ユーザ特有の基準信号の前記ＵＥへの送信のために使用されるアンテナ・ポートを示すインジケーションを備える、Ｃ１１に記載の方法。
［Ｃ１３］
前記少なくとも１つのパラメータはさらに、前記ユーザ特有の基準信号を特徴付ける時間−周波数リソース・パターンを備える、Ｃ１２に記載の方法。
［Ｃ１４］
前記ビット・シーケンスは、前記ユーザ特有の基準信号を特徴付ける時間−周波数リソース・パターンを示す１ビットを含む、Ｃ１４に記載の方法。
［Ｃ１５］
前記ビット・シーケンスは、前記アンテナ・ポートを示すインジケーションと前記送信ランクとをともに示す複数のビットを含む、Ｃ１２に記載の方法。
［Ｃ１６］
前記符号化された情報のうち、ＵＥ−ＲＳパターンを示すインジケーションを決定することをさらに備える、Ｃ１１に記載の方法。
［Ｃ１７］
前記少なくとも１つのパラメータはさらに、前記ＵＥに割り当てられたＵＥ−ＲＳポートの合計数と、ＵＥ−ＲＳシーケンス初期化ＩＤとのうちの少なくとも１つを備える、Ｃ１１に記載の方法。
［Ｃ１８］
無線通信のための装置であって、
ユーザ特有の基準信号（ＵＥ−ＲＳ）パラメータを選択する手段と、
前記選択されたＵＥ−ＲＳパラメータを、少なくとも１つの関連付けられたＵＥ−ＲＳパラメータとともに符号化する手段と、
前記ともに符号化されたＵＥ−ＲＳパラメータを、前記ＵＥ−ＲＳに関連付けられたユーザ機器（ＵＥ）に、ダウンリンク制御チャネルで送信する手段と、
を備える装置。
［Ｃ１９］
前記選択されたＵＥ−ＲＳパラメータは、送信ランクを備える、Ｃ１８に記載の装置。
［Ｃ２０］
前記選択されたＵＥ−ＲＳパラメータは、ＵＥ−ＲＳパターンを備える、Ｃ１８に記載の装置。
［Ｃ２１］
前記少なくとも１つの関連付けられたＵＥ−ＲＳパラメータは、前記ＵＥ−ＲＳの前記ＵＥへの送信のために使用されるアンテナ・ポートのセットを示すインジケーションを備える、Ｃ１９に記載の装置。
［Ｃ２２］
前記ともに符号化する手段は、前記送信ランクを、前記アンテナ・ポートのセットに関連付ける手段を備える、Ｃ２１に記載の装置。
［Ｃ２３］
前記関連付ける手段は、前記アンテナ・ポートのセット内に、連続したインデクスで前記アンテナ・ポートを列挙する手段を備える、Ｃ２２に記載の装置。
［Ｃ２４］
前記ともに符号化する手段は、前記アンテナ・ポートのセットと、前記送信ランクとの間の関連付けを符号化するビット・シーケンスを提供する手段を備える、Ｃ２３に記載の装置。
［Ｃ２５］
前記ビット・シーケンスは、前記アンテナ・ポートのセットと、前記送信ランクとをともに示す複数のビットを備える、Ｃ２４に記載の装置。
［Ｃ２６］
前記ビット・シーケンスはさらに、ＵＥ−ＲＳパターンを示すビットを備える、Ｃ２５に記載の装置。
［Ｃ２７］
前記送信ランクは、前記アンテナ・ポートのセットの濃度（cardinality）に対応する、Ｃ２１に記載の装置。
［Ｃ２８］
前記少なくとも１つのパラメータはさらに、前記ＵＥに割り当てられたＵＥ−ＲＳポートの合計数と、ＵＥ−ＲＳシーケンス初期化ＩＤとのうちの少なくとも１つを備える、Ｃ２１に記載の装置。
［Ｃ２９］
無線通信システムで使用されるコンピュータ・プログラム製品であって、
少なくとも１つのコンピュータに対して、送信のランクを選択させるための命令群と、
前記少なくとも１つのコンピュータに対して、前記選択された送信のランクを、ユーザ特有の基準信号（ＵＥ−ＲＳ）に関する少なくとも１つのパラメータに関連付けさせるための命令群と、
前記少なくとも１つのコンピュータに対して、ダウンリンク制御チャネルにおけるオーバヘッドを低減するために、前記少なくとも１つのパラメータと前記ランクとをともに示すインジケーションを提供させるための命令群と、
を備えるコンピュータ読取可能な媒体を備える、コンピュータ・プログラム製品。
［Ｃ３０］
前記コンピュータ読取可能な記憶媒体はさらに、前記少なくとも１つのコンピュータに対して、ＵＥ−ＲＳパターンを選択させるための命令群を備える、Ｃ２９に記載のコンピュータ・プログラム製品。
［Ｃ３１］
前記少なくとも１つのパラメータは、連続したインデクスで列挙されたアンテナ・ポートのセットを備える、Ｃ２９に記載のコンピュータ・プログラム製品。
［Ｃ３２］
前記少なくとも１つのコンピュータに対して、統合インジケーションを提供させるための命令群が、前記アンテナ・ポートのセットと、前記送信のランクとの間の関連付けを符号化するビット・シーケンスを提供する、Ｃ３０に記載のコンピュータ・プログラム製品。
［Ｃ３３］
前記ビット・シーケンスは、前記アンテナ・ポートのセットと、前記送信ランクとをともに示す複数のビットを備える、Ｃ３２に記載のコンピュータ・プログラム製品。
［Ｃ３４］
前記ビット・シーケンスはさらに、前記ＵＥ−ＲＳを特徴付けるＵＥ−ＲＳパターンを示すビットを備える、Ｃ３３に記載のコンピュータ・プログラム製品。
［Ｃ３５］
前記ビット・シーケンスはさらに、前記ＵＥ−ＲＳパターンを示すビットを備える、Ｃ３３に記載のコンピュータ・プログラム製品。
［Ｃ３６］
前記ビット・シーケンスはさらに、前記ＵＥ−ＲＳシーケンス初期化パラメータを示す少なくとも１ビットを備える、Ｃ３３に記載のコンピュータ・プログラム製品。
［Ｃ３７］
前記少なくとも１つのパラメータはさらに、前記ＵＥに割り当てられたＵＥ−ＲＳポートの合計数と、ＵＥ−ＲＳシーケンス初期化ＩＤとのうちの少なくとも１つを備える、Ｃ３１に記載のコンピュータ・プログラム製品。
［Ｃ３８］
ユーザ機器（ＵＥ）に関連付けられたユーザ特有の基準信号（ＵＥ−ＲＳ）に関する、符号化された情報を提供することを容易にする装置であって、
前記符号化された情報内に、前記ユーザ特有の基準信号に関する少なくとも１つのパラメータとともに、少なくとも、送信ランクを示すインジケーションを符号化するビット・シーケンスを含め、
前記符号化された情報を、ダウンリンク制御チャネルのペイロード内で送信させる、
ように構成されたプロセッサを備える装置。
［Ｃ３９］
前記プロセッサはさらに、前記符号化された情報内に、ＵＥ−ＲＳパターンを示すビットを含めるように構成された、Ｃ３８に記載の装置。
［Ｃ４０］
無線通信のための装置であって、
ユーザ機器（ＵＥ）に関連付けられたユーザ特有の基準信号に関する符号化された情報を、ダウンリンク制御チャネルで受信し、
ここで、前記符号化された情報は、前記ユーザ特有の基準信号に関する少なくとも１つのパラメータとともに、少なくとも、送信ランクを示すインジケーションを符号化するビット・シーケンスを含む、
前記符号化された情報を復号する、
ように構成されたプロセッサを備える、装置。
［Ｃ４１］
前記少なくとも１つのパラメータは、前記ユーザ特有の基準信号の前記ＵＥへの送信のために使用されるアンテナ・ポートを示すインジケーションと、前記ＵＥに割り当てられたＵＥ−ＲＳポートの合計数、および、ＵＥ−ＲＳシーケンス初期化ＩＤのうちの少なくとも１つと、のうちの１つを備える、Ｃ４０に記載の装置。
［Ｃ４２］
無線通信のための装置であって、
ユーザ機器（ＵＥ）に関連付けられたユーザ特有の基準信号に関する符号化された情報を、ダウンリンク制御チャネルで受信する手段と、ここで、前記符号化された情報は、前記ユーザ特有の基準信号に関する少なくとも１つのパラメータとともに、少なくとも、送信ランクを示すインジケーションを符号化するビット・シーケンスを含む、
前記符号化された情報を復号する手段と、
を備える装置。
［Ｃ４３］
前記符号化された情報のうち、ＵＥ−ＲＳパターンを示すインジケーションを決定する手段をさらに備える、Ｃ４２に記載の装置。
［Ｃ４４］
前記少なくとも１つのパラメータは、前記ユーザ特有の基準信号の前記ＵＥへの送信のために使用されるアンテナ・ポートを示すインジケーションと、前記ＵＥに割り当てられたＵＥ−ＲＳポートの合計数、および、ＵＥ−ＲＳシーケンス初期化ＩＤのうちの少なくとも１つと、のうちの１つを備える、Ｃ４２に記載の装置。
［Ｃ４５］
ユーザ機器（ＵＥ）に関連付けられたユーザ特有の基準信号（ＵＥ−ＲＳ）に関する、符号化された情報を提供することを容易にするコンピュータ・プログラム製品であって、
少なくとも１つのコンピュータに対して、前記符号化された情報内に、前記ＵＥ−ＲＳに関する少なくとも１つのパラメータとともに、少なくとも、送信ランクを示すインジケーションを符号化するビット・シーケンスを含めさせるための命令群と、
前記少なくとも１つのコンピュータに対して、前記符号化された情報を、ダウンリンク制御チャネルのペイロード内で送信させるための命令群と、
を備えるコンピュータ読取可能な記憶媒体を備える、コンピュータ・プログラム製品。
［Ｃ４６］
前記コンピュータ読取可能な記憶媒体は、前記少なくとも１つのコンピュータに対して、ＵＥ−ＲＳパターンを選択させるための命令群をさらに備える、Ｃ４５に記載のコンピュータ・プログラム製品。
［Ｃ４７］
前記少なくとも１つのパラメータは、連続するインデクスで列挙されたアンテナ・ポートのセットを備える、Ｃ４５に記載のコンピュータ・プログラム製品。
［Ｃ４８］
前記コンピュータ読取可能な記憶媒体はさらに、前記少なくとも１つのコンピュータに対して、前記送信ランクを前記アンテナ・ポートのセットに関連付けさせるための命令群を備える、Ｃ４７に記載のコンピュータ・プログラム製品。
［Ｃ４９］
ユーザ機器（ＵＥ）に関連付けられたユーザ特有の基準信号に関する、符号化された情報を提供することを容易にする方法であって、
送信のランクを選択することと、
前記送信のランクを、前記ユーザ特有の基準信号（ＵＥ−ＲＳ）に関する少なくとも１つのパラメータに関連付けることと、
前記少なくとも１つのパラメータと前記ランクとをともに示すインジケーションを、スケジューリング制約のセットにしたがって提供することと、ここで、前記スケジューリング制約のセットは、ダウンリンク制御チャネルにおけるオーバヘッドを低減するために選択される、
前記ダウンリンク制御チャネルで、前記インジケーションを送信することと、
を備える方法。
［Ｃ５０］
前記少なくとも１つのパラメータは、前記ユーザ特有の基準信号の前記ＵＥへの送信のために使用されるアンテナ・ポートのセットを備える、Ｃ４９に記載の方法。
［Ｃ５１］
前記提供することは、前記スケジューリング制約のセットに含まれる、アンテナ・ポートの限定されたセットを選択することを備える、Ｃ５０に記載の方法。
［Ｃ５２］
前記少なくとも１つのパラメータはさらに、ＵＥ−ＲＳパターンを備える、Ｃ５１に記載の方法。
［Ｃ５３］
前記選択することは、前記送信のランクおよび前記ＵＥ−ＲＳパターンに基づく、Ｃ５２に記載の方法。
［Ｃ５４］
前記選択することはさらに、前記ＵＥにサポートされたアンテナ・ポートの最大数に基づく、Ｃ５３に記載の方法。
［Ｃ５５］
前記選択することは、多重化されることが可能なＵＥの最大数に基づく、Ｃ５３に記載の方法。
［Ｃ５６］
前記提供することは、前記スケジューリング制約のセットに含まれる送信モードを選択することを備える、Ｃ４９に記載の方法。
［Ｃ５７］
前記送信モードは、ＳＵ−ＭＩＭＯ、ＭＵ−ＭＩＭＯ、および協調ＭＩＭＯのうちの１つを備える、Ｃ５６に記載の方法。
［Ｃ５８］
前記スケジューリング制約のセットに基づいて、１または複数の他のＵＥに関するスケジューリング決定を実行することをさらに備える、Ｃ４９に記載の方法。
［Ｃ５９］
前記提供することは、前記スケジューリング決定に基づいて、前記ＵＥ−ＲＳパターンおよび前記少なくとも１つのパラメータを選択することを備える、Ｃ５８に記載の方法。
［Ｃ６０］
前記提供することは、チャネルおよび干渉の推定および復調を導くために、前記スケジューリング制約のセットを選択することを備える、Ｃ４９に記載の方法。
［Ｃ６１］
前記提供することは、ＭＵ−ＭＩＭＯモードまたは協調ＭＩＭＯモードのうちの少なくとも１つで前記ＵＥに割り当てられるレイヤ数を制限することを備える、Ｃ５７に記載の方法。
［Ｃ６２］
前記制限することは、送信のランク毎に１つのアンテナ・ポートを割り当てることを備える、Ｃ６１に記載の方法。
［Ｃ６３］
ユーザ機器（ＵＥ）に関連付けられたユーザ特有の基準信号に関する、符号化された情報を提供することを容易にする装置であって、
送信のランクを選択する手段と、
前記送信のランクを、ユーザ特有の基準信号（ＵＥ−ＲＳ）に関する少なくとも１つのパラメータに関連付ける手段と、
前記少なくとも１つのパラメータと前記ランクとをともに示すインジケーションを、スケジューリング制約のセットにしたがって提供する手段と、ここで、前記スケジューリング制約のセットは、ダウンリンク制御チャネルにおけるオーバヘッドを低減するために選択される、
前記ダウンリンク制御チャネルで、前記インジケーションを送信する手段と、
を備える装置。
［Ｃ６４］
前記スケジューリング制約のセットに基づいて、１または複数の他のＵＥに関するスケジューリング決定を実行する手段をさらに備える、Ｃ６３に記載の装置。
［Ｃ６５］
ユーザ機器（ＵＥ）において無線通信を容易にする方法であって、
ユーザ特有の基準信号（ＵＥ−ＲＳ）に関する少なくとも１つのパラメータと、少なくとも１つのスケジューリング・パラメータとをともに示すインジケーションを受信することと、
前記少なくとも１つのスケジューリング・パラメータに少なくとも部分的に基づいて、チャネルまたは干渉の推定を実行することと、
を備える方法。
［Ｃ６６］
前記少なくとも１つのスケジューリング・パラメータは、サブフレームでスケジュールされたＵＥ−ＲＳポートの合計数に関する、Ｃ６５に記載の方法。
［Ｃ６７］
前記少なくとも１つのスケジューリング・パラメータに少なくとも部分的に基づいて、復調動作を実行することをさらに備える、Ｃ６５に記載の方法。
［Ｃ６８］
ユーザ機器（ＵＥ）において無線通信を容易にする装置であって、
ユーザ特有の基準信号（ＵＥ−ＲＳ）に関する少なくとも１つのパラメータと、少なくとも１つのスケジューリング・パラメータとをともに示すインジケーションを受信する手段と、
前記少なくとも１つのスケジューリング・パラメータに少なくとも部分的に基づいて、チャネルまたは干渉の推定を実行する手段と、
を備える装置。
［Ｃ６９］
前記少なくとも１つのスケジューリング・パラメータは、サブフレームにおいてスケジュールされたＵＥ−ＲＳポートの合計数に関する、Ｃ６５に記載の装置。
［Ｃ７０］
前記少なくとも１つのスケジューリング・パラメータに少なくとも部分的に基づいて、復調動作を実行する手段をさらに備える、Ｃ６５に記載の装置。
【図１】
0005559344.tif 000003
【図２】
0005559344.tif 000004
【図３】
0005559344.tif 000005
【図４】
0005559344.tif 000006
【図５】
0005559344.tif 000007